(57)【要約】【課題】ディスク単体及びカートリッジに収納した状態でローディングする際、面ブレの大きいディスクでは、ディスクのクランプ状態が外れてしまいディスク記録面に傷をつける等の問題があった。【解決手段】ディスク３と、ディスク３を収納保持する保持手段２と、ディスク３を保持手段２に対し位置決めするディスク位置決め手段７と、カートリッジに備えたシャッターを開閉するシャッター開閉手段１３と、シャッター開閉手段１３を第１の位置に回動する回動手段７ｄと、シャッター開閉手段１３を前記第１の位置から第２の位置に回動させる待避手段２ｅとを備え、保持手段２に待避手段２ｅを設け、ディスク３を装着する時は、待避手段２ｅでシャッター開閉手段１３を回動させる構成により、面ブレの大きいディスク２を使用時に発生するディスク記録面への傷付きを防止できる。【選択図】図３
2006228266.tif 000002
【特許請求の範囲】
【請求項１】
情報信号を記録及び／または再生できるディスク及び情報信号を記録及び／または再生できるディスクを回転自在に収納するカートリッジを収納保持する保持手段と、
前記ディスク及び前記カートリッジを前記保持手段に位置決めするディスク位置決め手段と、
前期保持手段を非装着状態から装着状態へ搬送するディスク搬送手段と、
前記カートリッジに備えたシャッターを開閉するシャッター開閉手段と、
前記シャッター開閉手段を第１の位置に回動する回動手段と、
前記シャッター開閉手段を前記第１の位置から第２の位置に回動させる待避手段と、
前記保持手段を本体に押圧付勢する押圧手段とを備えたことを特徴とするディスク装置。
【請求項２】
待避手段は、保持手段に配置したことを特徴とする請求項１記載のディスク装置。
【請求項３】
シャッター開閉手段は、シャッターと係合し前記シャッターを開閉にする先端部と、前記先端部と前記シャッターとの係合位置を可変するカム部と、待避手段と係合する突起部とを含むことを特徴とする請求項１記載のディスク装置。
【請求項４】
待避手段は、ディスクが保持手段により装着状態の時、シャッター開閉手段の突起部と係合し前記シャッター開閉手段を前記ディスクの外周部より外側の第２の位置に待避する構成としたことを特徴とする請求項１または２何れかに記載のディスク装置。
【請求項５】
待避手段は、カートリッジが装着された時、シャッター開閉手段と係合しない構成としたことを特徴とする請求項１、２または４何れかに記載のディスク装置。
【請求項６】
押圧手段は、保持手段が装着状態の時作用し、非装着の時解放する構成としたことを特徴とする請求項１記載のディスク装置。
【請求項７】
回動手段は、ディスク位置決め手段に構成したことを特徴とする請求項１記載のディスク装置。
【請求項８】
回動手段は、シャッター開閉手段のカム部と係合してシャッターが半開きとなる第１の位置で、前記シャッター開閉手段が回動する構成としたことを特徴とする請求項１または７何れかに記載のディスク装置。
【請求項９】
ディスク位置決め手段は、ディスク位置決め位置とカートリッジ位置決め位置との間を移動自在に付勢する弾性部材を有することを特徴とする請求項１記載のディスク装置。
【請求項１０】
ディスク位置決め手段に、シャッター開閉手段を本体に押圧付勢する付勢手段を設けたことを特徴とする請求項１または９何れかに記載のディスク装置。
【発明の詳細な説明】
【技術分野】
【０００１】
本発明は情報を記録又は再生するディスクを、ディスク単体及びカートリッジに収納した状態で、非装着状態から装着状態へ搬送するディスク装置に関する。
【背景技術】
【０００２】
従来のディスク装置は、特許文献１に記載されたものや、特許文献２に記載されたものが知られている。以下、図面を参照しながら説明する。図７は特許文献１に開示のディスク装置の要部構成を示す平面図、図８は図７に示すディスク装置の要部の部分断面を含む側面図である。図９は特許文献２に開示のディスク装置におけるディスク装着状態での要部構成を示す平面図であり、同一の部分には同一符号を付している。
【０００３】
各図において５１はディスク装置本体である。５２はトレイであり、ディスク５３単体またはこのディスク５３を収納したカートリッジ５４を、非装着状態から装着状態へ搬送または装着状態から非装着状態に搬送する。５７は天板であり、クランプアーム５８及びオープナ６１を保持している。６０はクランパであり、クランプアーム５８により駆動され、ディスク５３をディスク装置本体５１のディスクモータ６７に押圧する。５９はクランプアームバネであり、クランプアーム５８の復帰力を発生する。オープナ６１はカートリッジ５４のシャッター５５を開閉する手段であり、回動軸６３を中心に回動自在に保持されている。６２はオープナバネであり、オープナ６１に設けられ、バネ掛け用窓６５より突出したバネ掛け凸部６４と天板５７に設けられたバネフック６６との間に支持され、オープナ６１を所定の位置に復帰させる。６９は位置決めピンであり、カートリッジ５４の位置決め孔５６と係合し、カートリッジ５４のトレイ５２に対する位置決めを行う。６８はモータ支持ベースであり、ディスクモータ６７及び位置決めピン６９等を保持している。モータ支持ベース６８は、ディスク５２及びカートリッジ５４の非装着状態では傾斜して、ディスク５２及びカートリッジ５４が挿入される間待避している。ディスク５２及びカートリッジ５４の装着状態においては、カートリッジ５４に近づいて水平の状態になるように構成されている。図９において、６１ａは、シャッター５５を開閉自在とする先端部であり、円柱状に構成されている。６１ｂは、カム部でありトレイ５２に設けられた押圧手段５７ｄと係合してオープナ６１を回動させる。
【特許文献１】特開平９−９１８２４号公報
【特許文献２】特開２００１−２０９９９６号公報
【発明の開示】
【発明が解決しようとする課題】
【０００４】
しかしながら、特許文献１に開示のディスク装置では、ディスク単体５２を装着した場合、オープナ６１はそのままの状態であり、ディスク５２の記録面上に位置している。また、特許文献２に開示のディスク装置においては、オープナ６１は押圧手段５７ｄにより途中まで回動されるが、カートリッジ５４のシャッター５５を移動させるための手段であり、ディスク単体装着時にはオープナ６１はディスク外周部５３ａ側に回動しているものの、特許文献１のディスク装置と同様に、オープナ６１はディスク記録面上に位置している。
【０００５】
従って、面ブレの大きいディスクや、及び／または記録再生時に誤って衝撃を与えたりすると、ディスク５３のクランプ状態が外れ、オープナ６１の先端部６１ａがディスク５２の記録面に衝突し、ディスク記録面に傷をつける等の問題があった。また、近年、高倍速化ディスク対応のディスク装置が開発されているが、高倍速化に伴い偏重心ディスク使用時の騒音が問題となっている。
【０００６】
本発明は上記従来の問題点を解決するものであり、面ブレの大きいディスクや、使用時の衝撃によるディスクへの傷付きを防止し、且つ偏重心ディスクによる騒音を防止することができるディスク装置を提供することを目的とする。
【課題を解決するための手段】
【０００７】
本発明のディスク装置は、情報信号を記録及び／または再生できるディスク及び情報信号を記録及び／または再生できるディスクを回転自在に収納するカートリッジを収納保持する保持手段と、前記ディスク及び前記カートリッジを前記保持手段に位置決めするディスク位置決め手段と、前期保持手段を非装着状態から装着状態へ搬送するディスク搬送手段と、前記カートリッジに備えたシャッターを開閉するシャッター開閉手段と、前記シャッター開閉手段を第１の位置に回動する回動手段と、前記シャッター開閉手段を前記第１の位置から第２の位置に回動させる待避手段と、前記保持手段を本体に押圧付勢する押圧手段とを備える構成を有する。
【０００８】
この発明によれば、面ブレの大きいディスク使用時や、あるいは記録再生中に誤って本体に衝撃を加えた時に発生するディスク記録面への傷付きを防止することが出来、且つ、偏重心ディスク使用時に発生する騒音をも防止することができる。
【発明の効果】
【０００９】
以上のように本発明によれば、ディスク単体を装着する場合は、待避手段によりシャッター開閉手段をディスク外周部の外側に待避させるようにしたので、面ブレの大きいディスク使用時や、あるいは記録再生中に誤って本体に衝撃を加えた時に発生するディスク記録面への傷付きを防止することが出来、且つ保持手段がディスク装着位置に搬送された時は、押圧手段により保持手段を本体に押圧付勢すると共に、ディスク位置決め手段に設けた付勢手段によりシャッター開閉手段も本体に押圧付勢するようにしたので、偏重心ディスク使用時に発生する振動によるビビリ音とかからなる耳障りな騒音をも防止することができるという効果を得ることが出来るものである。
【発明を実施するための最良の形態】
【００１０】
以下、本発明のディスク装置における最も好ましい一実施形態について図面を参照しながら説明する。図１は、本発明のディスク装置の一実施形態におけるディスク非装着状態での要部構成を示す平面図、図２は、図１に示す装置の部分断面を含む側面図、図３は、同実施形態におけるディスク装着状態での要部構成を示す平面図、図４は、図３に示す装置の部分断面を含む側面図、図５は、同実施形態におけるカートリッジ非装着状態での要部構成を示す平面図、図６は、同実施形態におけるカートリッジ装着状態での要部構成を示す平面図であり、同一の部分には同一符号を付してある。
【００１１】
各図において、１はディスク装置本体である。２は保持手段であり、ディスク３及びディスク３を収納したカートリッジ４を保持し、モータと歯車等で構成されるディスク搬送手段（図示せず）により、ディスク３及びカートリッジ４を非装着状態から装着状態へ搬送、または、装着状態から非装着状態に搬送する。８は天板であり、クランプアーム９、シャッター開閉手段１３を保持している。１１はクランパであり、クランプアーム９により駆動され、ディスク３をディスク装置本体１のディスクモータ１８に押圧する。１０はクランプアームバネであり、クランプアーム９の復帰力を発生する。シャッター開閉手段１３は円状の先端部１３ａとカム部１３ｂと突起部１３ｃと凸リブ１３ｆ、１３ｇから成り、先端部１３ａをカートリッジ４のシャッター５に係合させてシャッター５を開閉自在にするものであり、回動軸７ｅを中心に回動自在に保持されている。１４は回動軸７ｅが遊挿係合する軸受で、天板８に穿って配置される。１５はオープナバネであり、シャッター開閉手段１３に設けられ、バネ掛け用窓１６より突出したバネ掛け凸部１３ｅと、天板８に設けられたバネフック１８との間に支持され、シャッター開閉手段１３を所定の位置に復帰させる。２０は位置決めピンであり、カートリッジ４の位置決め孔６と係合し、カートリッジ４の位置決めをおこなう。１９はモータ支持ベースであり、ディスクモータ１８、位置決めピン２０等を保持している。モータ支持ベース１９は、カートリッジ４の非装着状態では傾斜して、カートリッジ４の挿入に対して待避している。カートリッジ４の装着状態においては、カートリッジ４に近づいて水平の状態に位置する。
【００１２】
７は位置規制手段であり、バネからなる弾性部材２１により保持手段２にディスク挿入方向に移動自在に保持されている。２ａ、７ａは保持手段２及び位置規制手段７にそれぞれ設けられたバネ掛け部であり、弾性部材２１のフック部が引っ掛けられている。位置規制手段７は、弾性部材２１の付勢力で保持手段２の凸部２ｂ、２ｃに爪部７ｂ、７ｃが当接する位置まで移動する。ディスク３はこの位置でディスク位置規制面７ｆで位置決めされ、保持手段２に回転自在に収納される。カートリッジ４が保持手段２に装着された場合は、位置規制手段７はカートリッジ挿入方向に移動し、弾性部材２１の付勢力によりカートリッジ４を保持手段２に位置決めする。７ｄはオープナのカム部１３ｂと係合することにより、シャッター開閉手段１３を回動軸７ｅを中心に回転する力を発生させる円柱状突起部からなる回動手段である。カム部１３ｂの形状は先端部１３ａがシャッター５の摺動方向と直角な面５ａ側と接触して、シャッター５の摺動方向と平行な方向にシャッター開閉手段１３を回動するよう形成されている。
【００１３】
回動手段７ｄは、シャッター５が半開きとなる第１の位置までシャッター開閉手段１３を回動させる。その後、先端部１３ａがシャッター５の摺動方向と平行な面５ｂに接触し始めると、回動手段７ｄとカム部１３ｂとの係合が外れ、シャッター開閉手段１３はディスク搬送手段により回動される。
【００１４】
カートリッジ４のシャッター５が完全に解放された状態では、回動手段７ｄはシャッター開閉手段１３の逃げ部１３ｄに位置し、シャッター開閉手段１３とは接触していない。７ｇは、シャッター開閉手段１３の垂下がりを防止すると共に凸部１３ｇを支持し、ディスク装着状態の時シャッター開閉手段１３を天面８に押圧し、シャッター開閉手段１３の上下方向のガタツキを防止する付勢手段である。２ｅはシャッター開閉手段１３の突起部１３ｃと係合し、シャッター開閉手段１３をディスク装着時にディスク外周部３ａの外側に待避させる待避手段であり、保持手段２に一体的に構成されている。なお、待避手段２ｅは、カートリッジ４が装着された場合は突起部１３ｃとは係合することがないので、シャッターの開閉動作に支障をきたすことはない。８ｃ、８ｄは保持手段２を本体１に押圧する押圧手段であり、保持手段に設けられた凸部２ｃ、２ｄと係合し保持手段２を本体１に押圧保持している。保持手段２が装着状態から非装着状態に移送されると係合が外れることで保持手段は解放され、非装着状態になる。押圧手段８ｃ、８ｄは天板８に一体的に構成したが、弾性部材により構成しても同等の効果を得ることが出来る。２ｆは位置規制手段７を天面８側に付勢するためのリブであり、位置規制手段７を持ち上げ前記保持手段２とのガタツキを防止している。
【００１５】
以上のように構成されたディスク装置において、以下、その動作を説明する。図１及び図２のディスク非装着状態において、保持手段２及びディスク３は本体１の外側にある。また、モータ支持ベース１９は斜めに傾斜し、保持手段２及びディスク３の挿入に対して待避している。この状態からディスク３の装着に向けて、本体１内へ保持手段２及びディスク３は水平方向に摺動を開始する。保持手段２が本体１に更に移送されると回動手段７ｄがシャッター開閉手段１３のカム部１３ｂに当たり、シャッター開閉手段１３をシャッターを開く方向に回動させる。保持手段２が本体１の奥に更に移送されていくと、待避手段２ｅがシャッター開閉手段１３の突起部１３ｃに当たり、回動手段７ｄとカム部１３ｂとの係合が外れる。保持手段２が装着位置に搬送された時は、図３に示すようにシャッター開閉手段１３はディスク外周部３ａの外側に待避し、且つ、位置規制手段７により天面８に押圧保持される。またこの時、保持手段２は、押圧手段８ｃ、８ｄにより本体１に押圧保持されるので、面ブレの大きいディスク３や、偏重心の大きいディスク３が装着された時に発生する回転時の振動がシャッター開閉手段１３及び保持手段２に伝わっても、ガタツキによる騒音は発生しない。
【００１６】
次に、カートリッジ４を装着する時における、シャッター開閉手段１３の動作について説明する。搬送手段により保持手段２が本体１に搬送されていくと、先端部１３ａがシャッター５の摺動方向と直角な面５ａと接触する直前に、位置規制手段７がカム部１３ｂと接触を開始する。位置規制手段７によりカム部１３ｂに沿うように、シャッター開閉手段１３が回動軸７ｅを中心に回動する。このことにより、先端部１３ａはシャッター５の摺動方向と直角な面５ａに係合しながら、摺動方向と平行な方向にのみ開閉力が作用しながら、シャッター開放動作を開始する。この動作により、シャッター５はカートリッジ４に押さえつけられることなく開閉動作を開始することができ、シャッター５の解放時に発生するローディング負荷を軽減すると共に、シャッター５がカートリッジ４に対する押圧力を受けることでカートリッジ４の削れ発生を防止することができる。このカートリッジ４に削れの結果発生する粉塵は、ディスク装置本体１内部の例えば光ピックアップの対物レンズに付着堆積し記録再生特性を損なう、及び／またはローディングメカに付着堆積することによりローディングに負荷がかかる等の課題を抑制できる。
【００１７】
図６のカートリッジ装着状態において、保持手段２及びカートリッジ４は完全に本体１内に収納されている。この状態において、カートリッジ４のシャッター５は完全に解放された状態となるが、回動手段７ｄは逃げ部１３ｄに位置するため、回動手段７ｄとオープナ１３とは接触していない。すなわち、回動手段７ｄはシャッター開閉手段１３のカム部１３ｂに当接し、当該シャッター開閉手段１３を回動軸７ｅ周りに回動するだけであり、シャッター開閉手段１３の先端部１３ａがシャッター５の解放を行い解放しきった時点では、回動手段７ｄとシャッター開閉手段１３との係合は外れるため、シャッター開閉手段１３に弾性部材２１により印加されている付勢力が、カートリッジ４を介して保持手段２に力を付与し、ローディング特性が不安定になる課題を克服できる。またこの一連の動作において、シャッター５とシャッター開閉手段１３との係合状態が常に先行するため、待避手段２ｅがシャッター開閉手段１３の突起部１３ｃと接触することはなく、図６に示すように突起部１３ｃから離れている。なお、カム部１３ｂと回動手段７ｄとは、シャッター５の開放動作全体に渡って常に係合することも可能であるが、シャッター５の開放動作後半においては、シャッター５がカートリッジ４の挿入方向に押圧される分力が十分に小さくなるので、カム部１３ｂと回動手段７ｄとの係合を解除することにより、シャッター開閉手段１３とシャッター５との係合を十分にとることができ、カートリッジ４の装着時において、シャッター５の開放位置を安定にすることができる。また、カム部１３ｂは、シャッター５が開放されたときにできる厚さ方向の空間に位置するため、カートリッジ４と干渉することはない。
【００１８】
保持手段２及びカートリッジ４が完全に本体１内に収納されたとき、斜めに傾斜し待避していたモータ支持ベース１９が水平位置に移動する。このとき、カートリッジ４が位置決めピン２０により保持手段２に対して位置決めされると同時に、ディスク３はディスクモータ１８に載置され、クランパ１１により押圧固定される。カートリッジ４の排出時においては、モータ支持ベース１９が斜めに傾斜し待避した後、保持手段２及びカートリッジ４が排出方向に水平に搬送を開始する。保持手段２の搬送により、逃げ部１３ｄに位置していた回動手段７ｄが徐々にカム部１３ｂとの係合を開始し、シャッター開閉手段１３の先端部１３ａが、シャッター５自身の復帰力とオープナバネ１４の復帰力とにより、徐々にカートリッジ４のシャッター５を閉じる。シャッター５が閉じられた後、保持手段２とカートリッジ４とはさらに水平方向に搬送されカートリッジ排出位置まで搬送される。
【産業上の利用可能性】
【００１９】
本発明のディスク装置は、面ブレが大きいディスクや偏重心ディスクにも対応できるため高速記録再生ディスク装置にも適用することができる。
【図面の簡単な説明】
【００２０】
【図１】本発明のディスク装置の一実施形態における要部構成平面図
【図２】図１に示す装置の部分断面側面図
【図３】同実施形態における要部構成平面図
【図４】図３に示す装置の要部側面図
【図５】同実施形態における要部構成平面図
【図６】同実施形態における要部構成平面図
【図７】従来のディスク装置の要部構成平面図
【図８】図７に示す要部部分断面側面図
【図９】従来の他のディスク装置における要部構成平面図
【符号の説明】
【００２１】
１    ディスク装置本体
２    保持手段
２ｃ、２ｄ    凸部
２ｅ    待避手段
３    ディスク
４    カートリッジ
５    シャッター
６    位置決め孔
７    位置規制手段
７ｇ    付勢手段
８    天板
８ｃ、８ｄ    押圧手段
９    クランプアーム
１０    クランプアームバネ
１１    クランパ
１３    シャッター開閉手段
１３ｃ    突起部
１４    軸受
１５    バネ掛け凸部
１６    バネ掛け用窓
１７    バネフック
１８    ディスクモータ
１９    モータ支持ベース
２０    位置決めピン
２１    弾性部材
【図１】
2006228266.tif 000003
【図２】
2006228266.tif 000004
【図３】
2006228266.tif 000005
【図４】
2006228266.tif 000006
【図５】
2006228266.tif 000007
【図６】
2006228266.tif 000008
【図７】
2006228266.tif 000009
【図８】
2006228266.tif 000010
【図９】
2006228266.tif 000011